(57)【要約】【課題】アナログチューナからデジタルチューナに、またはデジタルチューナからアナログチューナに切り換えた場合でも、それぞれデフォルトの音量が同じになるように設定することができる放送受信装置を提供する。【解決手段】制御部は、アナログチューナによるアナログ放送受信に切り換えられている場合の第１のアナログ音声信号と、デジタルチューナによるデジタル放送受信に切り換えられている場合の第２のアナログ音声信号とのレベル差を算出し、そのレベル差を例えば第２のアナログ音声信号のオフセット値とする。したがって、アナログチューナからデジタルチューナに切り換えた場合でも、オフセット値により、それぞれデフォルトの音量が同じになるように設定することができ、これにより、アナログ放送受信からデジタル放送受信に、デジタル放送受信からアナログ放送受信に切り換えたときに、音量を調整し直す必要がなくなる。【選択図】図１
2008271367.tif 000002
【特許請求の範囲】
【請求項１】
アナログ方式のテレビ放送信号を受信するアナログチューナと、デジタル方式のテレビ放送信号を受信するデジタルチューナとを備えた放送受信装置において、
デフォルト設定操作がされたことを検知したとき、受信する放送信号が、前記アナログチューナによるアナログ放送受信に切り換えられているか、前記デジタルチューナによるデジタル放送受信に切り換えられているかを判定する受信切換判定手段と、
前記アナログチューナによるアナログ放送受信に切り換えられていると判定された場合の前記アナログチューナからのアナログ放送信号に含まれるアナログ音声信号である第１のアナログ音声信号と、前記デジタルチューナによるデジタル放送受信に切り換えられていると判定された場合の前記デジタルチューナからのデジタル放送信号に含まれるデジタル音声信号をアナログに変換したアナログ音声信号である第２のアナログ音声信号とのレベル差を算出する音声信号レベル差算出手段と、
前記第１のアナログ音声信号によるデフォルトの音量と、前記第２のアナログ音声信号によるデフォルトの音量とを同じにするために、前記レベル差を前記第１のアナログ音声信号および前記第２のアナログ音声信号のうちデフォルトの音量が調整される側のアナログ音声信号のオフセット値とし、このオフセット値を用いて、前記第１のアナログ音声信号によるデフォルトの音量と、前記第２のアナログ音声信号によるデフォルトの音量とを同じにする処理を行うデフォルト設定手段とを有する制御部を備えたことを特徴とする放送受信装置。
【請求項２】
受信する放送信号のアナログ放送受信からデジタル放送受信への切り換え、またはデジタル放送受信からアナログ放送受信への切り換えは、各チャンネル毎に所定時間間隔で行うことを特徴とする請求項１に記載の放送受信装置。
【請求項３】
前記第１のアナログ音声信号と前記第２のアナログ音声信号とのレベル差は、所定時間での各音声信号の平均レベルとの差を採ったものであることを特徴とする請求項１または請求項２に記載の放送受信装置。
【請求項４】
前記第１のアナログ音声信号によるデフォルトの音量と、前記第２のアナログ音声信号によるデフォルトの音量とを同じにするデフォルトの設定処理のために受信するテレビ放送信号は、試験放送信号であることを特徴とする請求項１または請求項２または請求項３に記載の放送受信装置。
【請求項５】
前記デフォルト設定手段は、アナログ放送受信時およびデジタル放送受信時に、音量調整手段の操作により調整された最適な音量を、アナログ放送受信時の前記第１のアナログ音声信号によるデフォルトの音量、およびデジタル放送受信時の前記第２のアナログ音声信号によるデフォルトの音量として設定することが可能な手段を有することを特徴とする請求項１に記載の放送受信装置。
【発明の詳細な説明】
【技術分野】
【０００１】
本発明は、アナログ方式のテレビ放送信号を受信するアナログチューナと、デジタル方式のテレビ放送信号を受信するデジタルチューナとを備えた放送受信装置に関し、特に、アナログ放送受信からデジタル放送受信に、またはデジタル放送受信からアナログ放送受信に、切り換えられたときのデフォルトの音量の設定機能に関する。
【背景技術】
【０００２】
近年、テレビ放送では、従来のアナログ放送に加え、地上波デジタル放送が普及しつつある。したがって、テレビジョン受像機やハードディスクレコーダあるいはＤＶＤレコーダでは、アナログ方式のテレビ放送信号を受信するアナログチューナと、デジタル方式のテレビ放送信号を受信するデジタルチューナとを備えた放送受信装置が搭載されている。
【０００３】
ところで、この種の従来の放送受信装置のオーディオ系は、例えば、次のような構成を有する。即ち、従来の放送受信装置のオーディオ系は、アンテナで受信したアナログ放送の電波によるアナログ放送信号を入力して所望の放送局のアナログ放送信号を抽出するアナログチューナ、アンテナで受信したデジタル放送の電波によるデジタル放送信号を入力して所望の放送局のデジタル放送信号を抽出するデジタルチューナ、アナログチューナから出力されたアナログ放送信号に含まれるアナログ映像信号とアナログ音声信号とを抽出するアナログ信号処理部、デジタルチューナから出力されたデジタル放送信号に含まれるデジタル映像信号とデジタル音声信号とを抽出するデジタル信号処理部、およびデジタル信号処理部から出力されたデジタル音声信号をアナログ音声信号に変換するＤ／Ａ変換部を備えている。
【０００４】
更に、放送受信装置のオーディオ系は、アナログ信号処理部からのアナログ音声信号（以下、第１のアナログ音声信号と言う）またはＤ／Ａ変換部からのアナログ音声信号（以下、第２のアナログ音声信号と言う）を選択して出力する音声信号選択部、この音声信号選択部で選択された第１のアナログ音声信号または第２のアナログ音声信号を増幅する音声増幅部、この音声増幅部８からの音声信号を電力増幅してスピーカに供給する音声出力部、装置全体を制御する制御部、この制御部の制御に必要なデータを格納するメモリ、出力音量を調整するための電子ボリューム、リモコンからの赤外線の操作信号を受光して電気信号の操作信号に変換し電気信号の操作信号を制御部に入力する受光部、および装置本体に設けられている本体操作部を備えている。
【特許文献１】特開２００７−３７０２６号公報
【特許文献２】特開２００６−１９７７０号公報
【特許文献３】特開２００２−１１２１４５号公報
【発明の開示】
【発明が解決しようとする課題】
【０００５】
ところが、このような従来の放送受信装置においては、アナログ放送受信時とデジタル放送受信時とでは、同じ放送局の放送を視聴したとき、出力音声に関して音量差を生じる場合がある。このような音量差を生じる原因は、アナログチューナ、アナログ信号処理部、デジタルチューナ、デジタル信号処理部、Ｄ／Ａ変換部などのダイナミックレンジの関係で、アナログ系の構成要素であるアナログチューナおよびアナログ信号処理部などにより出力されたアナログ音声信号（第１のアナログ音声信号）のレベルと、デジタル系の構成要素であるデジタルチューナとデジタル信号処理部とＤ／Ａ変換部などにより出力されたアナログ音声信号（第２のアナログ音声信号）のレベルとの差によって生じる。
【０００６】
したがって、アナログ放送受信時に、例えば、リモコンの音量キーを操作して調整した音量であっても、デジタル放送に切り換えたときに、以前よりも音量が大きくなったり、あるいは小さくなったりする場合があるので、もう一度、リモコンの音量キーを操作して音量を調整し直さなければならないので、ユーザにとっては面倒であるという課題があった。
【０００７】
なお、特許文献１の従来技術では、アナログチューナおよびデジタルチューナにより所望の２番組を選択的に受信し、音量レベル解析部で番組間の音量レベルを一定時間解析し、この解析により２番組間の音量レベルに差があるときに音量レベル差を予め定めた基準レベル差以内に抑えるようにオーディオボリュームを調整するようにしている。しかし、この従来技術は、アナログチューナからデジタルチューナに、またはデジタルチューナからアナログチューナに切り換えた場合に、それぞれデフォルトの音量が同じになるように設定する機能については開示されていない。
【０００８】
特許文献２の従来技術では、以前に受信したソースと同じソースが受信されたときには、メモリ部のテーブルから前記ソースに対応した音量データを読み出して音量制御部に供給し、これにより、同じソースに対しては、同じ音量になるように自動的に調整するようにしているが、この従来技術も、アナログチューナからデジタルチューナに、またはデジタルチューナからアナログチューナに切り換えた場合に、それぞれデフォルトの音量が同じになるように設定する機能については開示されていない。
【０００９】
特許文献３の従来技術では、複数の音声信号源の再生音声を所定のレベルに設定するようにしているが、この従来技術も、アナログチューナからデジタルチューナに、またはデジタルチューナからアナログチューナに切り換えた場合に、それぞれデフォルトの音量が同じになるように設定する機能については開示されていない。
【００１０】
本発明は、上記のような課題を解決するためになされたもので、アナログチューナからデジタルチューナに、またはデジタルチューナからアナログチューナに切り換えた場合でも、それぞれデフォルトの音量が同じになるように設定することができる放送受信装置を提供することを目的とする。
【課題を解決するための手段】
【００１１】
上記目的を達成するために、請求項１の発明は、アナログ方式のテレビ放送信号を受信するアナログチューナと、デジタル方式のテレビ放送信号を受信するデジタルチューナとを備えた放送受信装置において、デフォルト設定操作がされたことを検知したとき、受信する放送信号が、前記アナログチューナによるアナログ放送受信に切り換えられているか、前記デジタルチューナによるデジタル放送受信に切り換えられているかを判定する受信切換判定手段と、前記アナログチューナによるアナログ放送受信に切り換えられていると判定された場合の前記アナログチューナからのアナログ放送信号に含まれるアナログ音声信号である第１のアナログ音声信号と、前記デジタルチューナによるデジタル放送受信に切り換えられていると判定された場合の前記デジタルチューナからのデジタル放送信号に含まれるデジタル音声信号をアナログに変換したアナログ音声信号である第２のアナログ音声信号とのレベル差を算出する音声信号レベル差算出手段と、前記第１のアナログ音声信号によるデフォルトの音量と、前記第２のアナログ音声信号によるデフォルトの音量とを同じにするために、前記レベル差を前記第１のアナログ音声信号および前記第２のアナログ音声信号のうちデフォルトの音量が調整される側のアナログ音声信号のオフセット値とし、このオフセット値を用いて、前記第１のアナログ音声信号によるデフォルトの音量と、前記第２のアナログ音声信号によるデフォルトの音量とを同じにする処理を行うデフォルト設定手段とを有する制御部を備えたことを特徴とする放送受信装置を提供する。
【００１２】
この構成において、デフォルト設定操作がされたことを検知したとき、受信する放送信号が、前記アナログチューナによるアナログ放送受信に切り換えられているか、前記デジタルチューナによるデジタル放送受信に切り換えられているかが、受信切換判定手段により判定される。前記アナログチューナによるアナログ放送受信に切り換えられていると判定された場合の第１のアナログ音声信号と、前記デジタルチューナによるデジタル放送受信に切り換えられていると判定された場合の第２のアナログ音声信号とのレベル差が、音声信号レベル差算出手段により算出される。そして、そのレベル差が、デフォルトの音量が調整される側のアナログ音声信号のオフセット値とされ、そのオフセット値を用いて、前記第１のアナログ音声信号によるデフォルトの音量と、前記第２のアナログ音声信号によるデフォルトの音量とを同じにする処理が、デフォルト設定手段により行われる。
【００１３】
この構成によれば、アナログチューナからデジタルチューナに、またはデジタルチューナからアナログチューナに切り換えた場合でも、それぞれデフォルトの音量が同じになるように設定することができ、これにより、アナログ放送受信からデジタル放送受信に、デジタル放送受信からアナログ放送受信に切り換えたときに、音量を調整し直す必要がなくなり、ユーザにとっては便利になる。
【００１４】
請求項２の発明では、請求項１の発明において、受信する放送信号のアナログ放送受信からデジタル放送受信への切り換え、またはデジタル放送受信からアナログ放送受信への切り換えは、各チャンネル毎に所定時間間隔で行うようにしたので、デフォルト設定処理時には、受信する放送信号のアナログ放送受信からデジタル放送受信への切り換え、またはデジタル放送受信からアナログ放送受信への切り換えが可能になり、ユーザの操作負担を軽減できる。
【００１５】
請求項３の発明では、請求項１または請求項２の発明において、前記第１のアナログ音声信号と前記第２のアナログ音声信号とのレベル差は、所定時間での各音声信号の平均レベルとの差を採ったものであるので、そのレベル差は、精度的に高いものとなる。
【００１６】
請求項４の発明では、請求項１または請求項２または請求項３の発明において、前記第１のアナログ音声信号によるデフォルトの音量と、前記第２のアナログ音声信号によるデフォルトの音量とを同じにするデフォルトの設定処理のために受信するテレビ放送信号は、試験放送信号であるので、設定されるデフォルトの音量は、かなり精度の高いものとなる。
【００１７】
請求項５の発明では、請求項１の発明において、前記デフォルト設定手段は、アナログ放送受信時およびデジタル放送受信時に、音量調整手段の操作により調整された最適な音量を、アナログ放送受信時の前記第１のアナログ音声信号によるデフォルトの音量、およびデジタル放送受信時の前記第２のアナログ音声信号によるデフォルトの音量として設定することが可能な手段を有するので、ユーザが好む最適な音量をデフォルトに設定することが可能になる。
【発明の効果】
【００１８】
以上のように本発明によれば、アナログチューナからデジタルチューナに、またはデジタルチューナからアナログチューナに切り換えた場合でも、それぞれデフォルトの音量が同じになるように設定することができ、これにより、アナログ放送受信からデジタル放送受信に、デジタル放送受信からアナログ放送受信に切り換えたときに、音量を調整し直す必要がなくなり、ユーザにとっては便利になる。
【発明を実施するための最良の形態】
【００１９】
以下、添付図面を参照しつつ、本発明の実施の形態について説明する。図１は本発明の一実施形態に係る放送受信装置のオーディオ系の構成を示すブロック図である。
【００２０】
図１において、放送受信装置のオーディオ系は、アナログ放送（アナログ方式のテレビ放送）の電波またはデジタル放送（デジタル方式のテレビ放送）の電波を受信するアンテナ１、このアンテナ１で受信したアナログ放送の電波によるアナログ放送信号を入力して所望の放送局のアナログ放送信号を抽出するアナログチューナ２、このアンテナ１で受信したデジタル放送の電波によるデジタル放送信号を入力して所望の放送局のデジタル放送信号を抽出するデジタルチューナ３、アナログチューナ２から出力されたアナログ放送信号に含まれるアナログ映像信号とアナログ音声信号とを抽出するアナログ信号処理部４、デジタルチューナ３から出力されたデジタル放送信号に含まれるデジタル映像信号とデジタル音声信号とを抽出するデジタル信号処理部５、およびデジタル信号処理部５から出力されたデジタル音声信号をアナログ音声信号に変換するＤ／Ａ変換部６を備えている。
【００２１】
更に、放送受信装置のオーディオ系は、アナログ信号処理部４からのアナログ音声信号（以下、第１のアナログ音声信号と言う）またはＤ／Ａ変換部６からのアナログ音声信号（以下、第２のアナログ音声信号と言う）を選択して出力する音声信号選択部７、この音声信号選択部７で選択された第１のアナログ音声信号または第２のアナログ音声信号を増幅する音声増幅部８、この音声増幅部８からの音声信号を電力増幅してスピーカ１０に供給する音声出力部９、装置全体を制御する制御部１１、この制御部１１の制御に必要なデータを格納するメモリ１２、出力音量を調整するための電子ボリューム１４、リモコン１６からの赤外線の操作信号を受光して電気信号の操作信号に変換し電気信号の操作信号を制御部１１に入力する受光部１５、および装置本体に設けられている本体操作部１３を備えている。
【００２２】
制御部１１は、デフォルト設定操作がされたことを検知したとき、受信する放送信号が、アナログチューナ２によるアナログ放送受信に切り換えられているか、デジタルチューナ３によるデジタル放送受信に切り換えられているかを判定する受信切換判定手段と、アナログチューナ２によるアナログ放送受信に切り換えられていると判定された場合のアナログチューナ２からのアナログ放送信号に含まれるアナログ音声信号である第１のアナログ音声信号と、デジタルチューナ３によるデジタル放送受信に切り換えられていると判定された場合のデジタルチューナ３からのデジタル放送信号に含まれるデジタル音声信号をアナログに変換したアナログ音声信号である第２のアナログ音声信号とのレベル差を算出する音声信号レベル差算出手段と、前記第１のアナログ音声信号によるデフォルトの音量と、前記第２のアナログ音声信号によるデフォルトの音量とを同じにするために、前記レベル差を前記第１のアナログ音声信号および前記第２のアナログ音声信号のうちデフォルト音量が調整される側のアナログ音声信号のオフセット値とし、このオフセット値を用いて、前記第１のアナログ音声信号によるデフォルトの音量と、前記第２のアナログ音声信号によるデフォルトの音量とを同じにする処理を行うデフォルト設定手段とを有する。
【００２３】
図２は本実施形態においてデフォルトの音量を設定する処理を説明するためのフローチャートである。このフローチャートおよび図１を参照してデフォルトの音量を設定する処理について説明する。
【００２４】
先ず、この放送受信装置に対してデフォルトの音量の設定処理を行うため、例えば、リモコン１６または本体操作部１３を操作してデフォルトの音量の設定処理を開始させるために、予め決められたキー操作を行うと、制御部１１の受信切換判定手段は、デフォルト設定操作がされたことを検知し（ステップＳ１）、このとき、受信する放送信号が、アナログチューナ２によるアナログ放送受信に切り換えられているか、デジタルチューナ３によるデジタル放送受信に切り換えられているかを判定する（ステップＳ２，Ｓ３）。即ち、受信切換判定手段は、音声信号選択部７がアナログ信号処理部４からのアナログ音声信号（第１のアナログ音声信号）を出力する設定状態になっているか、デジタル信号処理部５からのデジタル音声信号をＤ／Ａ変換部６でアナログに変換したアナログ音声信号（第２のアナログ音声信号）を出力する設定状態になっているかを判定する。
【００２５】
アナログチューナ２によるアナログ放送受信に切り換えられていると判定された場合、音声信号選択部７は、アナログ信号処理部４からのアナログ音声信号である第１のアナログ音声信号を出力する（ステップＳ４）。また、デジタルチューナ３によるデジタル放送受信に切り換えられていると判定された場合、音声信号選択部７は、デジタルチューナ３からのデジタル放送信号に含まれるデジタル音声信号をアナログに変換したアナログ音声信号である第２のアナログ音声信号を出力する（ステップＳ５）。
【００２６】
そして、制御部１１の音声信号レベル差算出手段は、アナログチューナ２によるアナログ放送受信に切り換えられていると判定された場合のアナログチューナ２からのアナログ放送信号に含まれるアナログ音声信号である第１のアナログ音声信号と、デジタルチューナ３によるデジタル放送受信に切り換えられていると判定された場合のデジタルチューナ３からのデジタル放送信号に含まれるデジタル音声信号をアナログに変換したアナログ音声信号である第２のアナログ音声信号とのレベル差を算出する（ステップＳ６）。
【００２７】
即ち、音声信号レベル差算出手段は、第１のアナログ音声信号のレベルを所定時間検出し、第１のアナログ音声信号の平均レベルを算出し、また、第２のアナログ音声信号のレベルを所定時間検出し、第２のアナログ音声信号の平均レベルを算出し、前記算出された第１のアナログ音声信号の平均レベルと前記算出された第２のアナログ音声信号の平均レベルとの差を算出する。
【００２８】
そして、制御部１１のデフォルト設定手段は、前記第１のアナログ音声信号によるデフォルトの音量と、前記第２のアナログ音声信号によるデフォルトの音量とを同じにするために、前記レベル差を前記第１のアナログ音声信号および前記第２のアナログ音声信号のうちデフォルト音量が調整される側のアナログ音声信号のオフセット値とし、このオフセット値をデジタル化してメモリ１２に格納する（ステップＳ７）。また、前記デフォルト設定手段により、アナログ放送受信時およびデジタル放送受信時に、音量調整手段としての電子ボリューム１４の操作により調整された最適な音量を、アナログ放送受信時の前記第１のアナログ音声信号によるデフォルトの音量、およびデジタル放送受信時の前記第２のアナログ音声信号によるデフォルトの音量として設定することもできる。
【００２９】
次に、他の放送局からのアナログ放送受信およびデジタル放送受信についても同様に、制御部１１は、各放送局の第１のアナログ音声信号および第２のアナログ信号に対するオフセット値を求めてメモリ１２に格納するために、アナログチューナ２およびデジタルチューナ３に対してチャンネルを切り換え（ステップＳ８）、各チャンネルに対してデフォルト音量の設定が完了するまで（ステップＳ９）、ステップＳ２からステップＳ８までの処理を繰り返す。
【００３０】
以上説明したデフォルト音量設定処理によれば、アナログチューナからデジタルチューナに、またはデジタルチューナからアナログチューナに切り換えた場合でも、メモリに格納されたオフセット値を用いることにより、それぞれデフォルトの音量が同じになるように設定することができ、これにより、アナログ放送受信からデジタル放送受信に、デジタル放送受信からアナログ放送受信に切り換えたときに、音量を調整し直す必要がなくなり、ユーザにとっては便利になる。
【００３１】
図３は、本実施形態においてアナログ放送受信からデジタル放送受信に切り換えたとき、またはデジタル放送受信からアナログ放送受信に切り換えたときの音声出力の処理を説明するためのフローチャートである。このフローチャートおよび図１を参照してアナログ放送受信からデジタル放送受信に切り換えたとき、またはデジタル放送受信からアナログ放送受信に切り換えたときの音声出力の処理について説明する。なお、ここでは、アナログ放送受信時のデフォルトの音量を基準とし、デジタル放送受信時のデフォルトの音量が、前述したオフセット値に従って調整される場合について説明するが、デジタル放送受信時のデフォルトの音量を基準とし、アナログ放送受信時のデフォルトの音量が、前述したオフセット値に従って調整される場合であっても、同様な効果が得られる。
【００３２】
先ず、アナログ放送受信に切り換えられている場合（ステップＭ１）、アナログチューナ２は、アンテナ１で受信したアナログ放送の電波によるアナログ放送信号を入力して所望の放送局のアナログ放送信号を抽出する。アナログ信号処理部４は、アナログチューナ２から出力されたアナログ放送信号に含まれるアナログ映像信号とアナログ音声信号とを抽出する。音声信号選択部７は、アナログ信号処理部４からのアナログ音声信号（第１のアナログ音声信号）を選択して出力する。音声増幅部８は、音声信号選択部７で選択された第１のアナログ音声信号を増幅し、更に、音声出力部９は、音声増幅部８からの第１のアナログ音声信号を電力増幅してスピーカ１０に供給する。したがって、スピーカ１０からは、第１のアナログ音声信号によるデフォルトの音量で音声が出力される（ステップＭ５）。
【００３３】
次に、アナログ放送受信からデジタル放送受信に切り換えられると（ステップＭ２）、デジタルチューナ３は、アンテナ１で受信したデジタル放送の電波によるアナログ放送信号を入力して所望の放送局のデジタル放送信号を抽出する。デジタル信号処理部５は、デジタルチューナ３から出力されたデジタル放送信号に含まれるデジタル映像信号とデジタル音声信号とを抽出する。Ｄ／Ａ変換部６は、デジタル信号処理部５からのデジタル音声信号をアナログ音声信号（第２のアナログ音声信号）に変換する。音声信号選択部７は、Ｄ／Ａ変換部６からの第２のアナログ音声信号を選択して出力する。
【００３４】
ここで、音声増幅部８は、音声信号選択部７で選択された第２のアナログ音声信号を増幅するが、音声増幅部８のゲインがメモリ１２に格納されているオフセット値に従って調整されることになる。この調整を行うため、制御部１１のデフォルト設定手段は、第１のアナログ音声信号によるデフォルトの音量と、第２のアナログ音声信号によるデフォルトの音量とを同じにするために、両音声信号のレベル差を、第１のアナログ音声信号および第２のアナログ音声信号のうちデフォルト音量が調整される側のアナログ音声信号（この場合、第２のアナログ音声信号）のオフセット値とし、このオフセット値を用いて音声増幅部８のゲインを調整し、第１のアナログ音声信号によるデフォルトの音量と、第２のアナログ音声信号によるデフォルトの音量とを同じにする処理を行う（ステップＭ３）。
【００３５】
音声信号選択部７で選択された第２のアナログ音声信号が、音声増幅部８にて増幅された後、音声出力部９に入力される。音声出力部９は、音声増幅部８からの第２のアナログ音声信号を電力増幅してスピーカ１０に供給する。したがって、スピーカ１０からは、第２のアナログ音声信号に対して設定されたデフォルトの音量で音声が出力される（ステップＭ４）。
【００３６】
以上説明したように、アナログ放送受信からデジタル放送受信に切り換えたとき、またはデジタル放送受信からアナログ放送受信に切り換えたときでも、同じ音量の音声が出力されるので、ユーザは音量調整を行う必要がなく、ユーザにとっては便利である。
【００３７】
図４は本実施形態において試験放送によるアナログ放送受信時のデフォルトの音量の設定処理と試験放送によるデジタル放送受信時のデフォルトの音量の設定処理とを説明するためのフローチャートである。このフローチャートおよび図１を参照して試験放送によるアナログ放送受信時のデフォルトの音量の設定処理と試験放送によるデジタル放送受信時のデフォルトの音量の設定処理とについて説明する。
【００３８】
先ず、この放送受信装置に対してデフォルトの音量の自動設定処理を行うため、例えば、リモコン１６または本体操作部１３を操作してデフォルトの音量の自動設定処理を開始させるために、予め決められたキー操作を行うと、制御部１１の受信切換判定手段は、自動デフォルト設定操作がされたことを検知し（ステップＮ１）、このとき、受信する試験放送信号が、アナログチューナ２によるアナログ放送受信に切り換えられているか、デジタルチューナ３によるデジタル放送受信に切り換えられているかを判定する（ステップＮ２，Ｎ３）。
【００３９】
即ち、受信切換判定手段は、音声信号選択部７がアナログ信号処理部４からのアナログ音声信号（第１のアナログ音声信号）を出力する設定状態になっているか、デジタル信号処理部５からのデジタル音声信号をＤ／Ａ変換部６でアナログに変換したアナログ音声信号（第２のアナログ音声信号）を出力する設定状態になっているかを判定する。試験放送信号は、ＥＰＧ（電子番組表）データによる予約により、各放送局からの試験放送信号を自動的に受信することができる。
【００４０】
アナログ放送受信とデジタル放送受信の切り換えは、制御部１１の制御により所定時間間隔で各チャンネル毎に行われる。即ち、制御部１１は、アナログチューナ２およびデジタルチューナ３を同じ放送局のチャンネルに設定し、音声信号選択部７からの音声信号出力が各チャンネル毎に所定時間間隔で切り換わるように音声信号選択部７を制御する。
【００４１】
ここで、アナログチューナ２によるアナログ放送受信に切り換えられていると判定された場合（ステップＮ２）、音声信号選択部７は、アナログ信号処理部４からのアナログ音声信号（第１のアナログ音声信号）を出力する（ステップＮ４）。また、デジタルチューナ３によるデジタル放送受信に切り換えられていると判定された場合（ステップＮ３）、音声信号選択部４は、デジタルチューナ３からのデジタル放送信号に含まれるデジタル音声信号をアナログに変換したアナログ音声信号である第２のアナログ音声信号を出力する（ステップＮ５）。
【００４２】
そして、制御部１１の音声信号レベル差算出手段は、アナログチューナ２によるアナログ放送受信に切り換えられていると判定された場合のアナログチューナ２からのアナログ放送信号に含まれるアナログ音声信号である第１のアナログ音声信号と、デジタルチューナ３によるデジタル放送受信に切り換えられていると判定された場合のデジタルチューナ３からのデジタル放送信号に含まれるデジタル音声信号をアナログに変換したアナログ音声信号である第２のアナログ音声信号とのレベル差を算出する（ステップＮ６）。
【００４３】
即ち、音声信号レベル差算出手段は、第１のアナログ音声信号のレベルを所定時間検出し、第１のアナログ音声信号の平均レベルを算出し、また、第２のアナログ音声信号のレベルを所定時間検出し、第２のアナログ音声信号の平均レベルを算出し、前記算出された第１のアナログ音声信号の平均レベルと前記算出された第２のアナログ音声信号の平均レベルとの差を算出する。
【００４４】
そして、制御部１１のデフォルト設定手段は、前記第１のアナログ音声信号によるデフォルトの音量と、前記第２のアナログ音声信号によるデフォルトの音量とを同じにするために、前記レベル差を前記第１のアナログ音声信号および前記第２のアナログ音声信号のうちデフォルト音量が調整される側のアナログ音声信号（この場合、第２のアナログ音声信号）のオフセット値とし、このオフセット値をデジタル化してメモリ１２に格納する（ステップＮ７）。
【００４５】
次に、他の放送局からのアナログ放送受信およびデジタル放送受信についても同様に、制御部１１は、各放送局の第１のアナログ音声信号および第２のアナログ信号に対するオフセット値を求めてメモリ１２に格納するために、アナログチューナ２およびデジタルチューナ３に対してチャンネルを切り換え（ステップＮ８）、各チャンネルに対してデフォルト音量の設定が完了するまで（ステップＮ９）、ステップＮ２からステップＮ８までの処理を繰り返す。
【００４６】
以上説明したデフォルト音量設定処理によれば、アナログチューナからデジタルチューナに、またはデジタルチューナからアナログチューナに切り換えた場合でも、メモリに格納されたオフセット値を用いることにより、それぞれデフォルトの音量が同じになるように設定することができ、これにより、アナログ放送受信からデジタル放送受信に、デジタル放送受信からアナログ放送受信に切り換えたときに、音量を調整し直す必要がなくなり、ユーザにとっては便利になる。しかも、試験放送信号を用いてデフォルトの音量を設定しているので、第１のアナログ音声信号と第２のアナログ音声信号とのレベル差の精度が高く、これにより、オフセット値も精度が高くなり、この結果、デフォルトの音量の設定の精度も高くなる。
【産業上の利用可能性】
【００４７】
本発明は、アナログチューナとデジタルチューナとを備えた放送受信装置を搭載したテレビジョン受像機やＤＶＤレコーダあるいはハードディスクレコーダなどのデフォルトの音量を設定する機能に利用可能である。
【図面の簡単な説明】
【００４８】
【図１】本発明の一実施形態に係る放送受信装置のオーディオ系の構成を示すブロック図である。
【図２】前記実施形態においてデフォルトの音量を設定する処理を説明するためのフローチャートである。
【図３】前記実施形態においてアナログ放送受信からデジタル放送受信に切り換えたとき、またはデジタル放送受信からアナログ放送受信に切り換えたときの音声出力の処理を説明するためのフローチャートである。
【図４】前記実施形態において試験放送によるアナログ放送受信時のデフォルトの音量の設定処理と試験放送によるデジタル放送受信時のデフォルトの音量の設定処理とを説明するためのフローチャートである。
【符号の説明】
【００４９】
２    アナログチューナ
３    デジタルチューナ
１１    制御部（受信切換判定手段、音声信号レベル差算出手段、デフォルト設定手段）
１４    電子ボリューム（音量調整手段）
【図１】
2008271367.tif 000003
【図２】
2008271367.tif 000004
【図３】
2008271367.tif 000005
【図４】
2008271367.tif 000006